(57)【特許請求の範囲】
【請求項１】
おむつ本体（１）の長手方向に、尿吸収体（４）が介在された腹当て部（２）と、背当て部（３）と、これらの中間に配置され且つ尻尾穴（７）が設けられた尻当て部（６）とを備え、ペット（Ａ）の尻尾（Ｂ）を前記尻尾穴（７）に通し且つペット（Ａ）の腹側に前記腹当て部（２）を、背中側に前記背当て部（３）を夫々当てて、前記腹当て部（２）と前記背当て部（３）とを幅方向の両側のファスナーテープ（１２）で止めて装着するようにしたペット用使い捨ておむつにおいて、前記おむつ本体（１）の少なくとも前記背当て部（３）に通気性を持たせ、前記尻尾穴（７）は、前記腹当て部（２）側に配置され且つペット（Ａ）の肛門部（Ｃ）に対応させたときにペット（Ａ）から排泄された糞が前記おむつ本体（１）に付着しない程度の大きさの第１穴部（１９）と、ペット（Ａ）の尻尾（Ｂ）を通したときに前記第１穴部（１９）がペット（Ａ）の肛門部（Ｃ）に対応するように該第１穴部（１９）の前記背当て部（３）側に連続する第２穴部（２０）とを備えた長穴状であることを特徴とするペット用使い捨ておむつ。
【請求項２】
少なくとも前記背当て部（３）に、通気性を有する不織布を用いたことを特徴とする請求項１に記載のペット用使い捨ておむつ。
【請求項３】
前記おむつ本体（１）は、該おむつ本体（１）の内外両側に前記腹当て部（２）と前記背当て部（３）との略全長に跨がって設けられた不織布製の内側シート（８）及び外側シート（９）と、前記内側シート（８）と前記外側シート（９）との間に介在された前記尿吸収体（４）と、該尿吸収体（４）と前記外側シート（９）との間に介在された尿漏れ防止フィルム（５）とを備えたことを特徴とする請求項１又は２に記載のペット用使い捨ておむつ。
【請求項４】
前記背当て部（３）に通気穴（２１）を設けたことを特徴とする請求項１〜３の何れかに記載のペット用使い捨ておむつ。
【請求項５】
前記尻尾穴（７）は前記第１穴部（１９）と該第１穴部（１９）よりも小さい第２穴部（２０）とを備えたダルマ穴状であることを特徴とする請求項１〜４の何れかに記載のペット用使い捨ておむつ。
【請求項６】
前記腹当て部（２）側の前記尿吸収体（４）を前記尻尾穴（７）の近傍にわたって介在したことを特徴とする請求項１〜５の何れかに記載のペット用使い捨ておむつ。
【発明の詳細な説明】
【０００１】
【発明の属する技術分野】
本発明は、犬、猫等のペットに使用するペット用使い捨ておむつに関し、装着状態での通気性を良くし、ペットが快適に過ごせるようにしたものである。
【０００２】
【従来の技術】
犬、猫等のペットに使用するペット用使い捨ておむつは、従来、特許２９８３９２９号公報に記載されるように、おむつ本体の腹当て部から背当て部に跨がって設けられた不織布製の内側シートとプラスチック製の外側シートとの間にパルプ、高分子吸収剤等からなる尿吸収体が介在され、腹当て部と背当て部との間に尻尾穴が設けられ、またおむつ本体の幅方向の両側にフィットギャザーが設けられている。
【０００３】
そして、この使い捨ておむつの使用に際しては、おむつ本体の腹当て部をペットの腹側に、背当て部をペットの背中側に夫々あてがい、その腹当て部と背当て部とをファスナーテープで止めてペットに装着する。
【０００４】
【発明が解決しようとする課題】
従来の使い捨ておむつは、おむつ本体の外側シートに、通気性のないプラフチックフィルム等が使用されており、しかも装着した状態ではおむつ本体の幅方向の両側がフィットギャザーで後脚の付け根部分にフィットしているので、非常に通気性が悪くなっている。従って、夏等の暑い季節、暖房の効いた高温の室内等において使用した場合には、おむつ本体の内部の蒸れによってペットの不快感が極端に増大し、ペットのストレスが非常に大きくなる等の欠点がある。
【０００５】
本発明は、このような従来の問題点に鑑み、使用状態での蒸れを少なくでき、夏等の暑い季節でもペットが快適に過ごせるペット用使い捨ておむつを提供することを目的とする。
【０００６】
【課題を解決するための手段】
本発明は、おむつ本体１の長手方向に、尿吸収体４が介在された腹当て部２と、背当て部３と、これらの中間に配置され且つ尻尾穴７が設けられた尻当て部６とを備え、ペットＡの尻尾Ｂを前記尻尾穴７に通し且つペットＡの腹側に前記腹当て部２を、背中側に前記背当て部３を夫々当てて、前記腹当て部２と前記背当て部３とを幅方向の両側のファスナーテープ１２で止めて装着するようにしたペット用使い捨ておむつにおいて、前記おむつ本体１の少なくとも前記背当て部３に通気性を持たせ、前記尻尾穴７は、前記腹当て部２側に配置され且つペットＡの肛門部Ｃに対応させたときにペットＡから排泄された糞が前記おむつ本体１に付着しない程度の大きさの第１穴部１９と、ペットＡの尻尾Ｂを通したときに前記第１穴部１９がペットＡの肛門部Ｃに対応するように該第１穴部１９の前記背当て部３側に連続する第２穴部２０とを備えた長穴状である。その場合、少なくとも前記背当て部３に、通気性を有する不織布を用いることも可能である。また前記背当て部３に通気穴２１を設けることも可能である。
【０００７】
前記おむつ本体１は、該おむつ本体１の内外両側に前記腹当て部２と前記背当て部３との略全長に跨がって設けられた不織布製の内側シート８及び外側シート９と、前記内側シート８と前記外側シート９との間に介在された前記尿吸収体４と、該尿吸収体４と前記外側シート９との間に介在された尿漏れ防止フィルム５とを備えている。
【０００８】
前記尻尾穴７は前記第１穴部１９と該第１穴部１９よりも小さい第２穴部２０とを備えたダルマ穴状でもよい。前記腹当て部２側の前記尿吸収体４を前記尻尾穴７の近傍にわたって介在してもよい。
【０００９】
【発明の実施の形態】
以下、本発明の各実施形態を図面に基づいて詳述する。図１〜図５は本発明のペット用使い捨ておむつの第１の実施形態を例示する。このペット用使い捨ておむつは、図４に示すようにペットＡのウエスト部から後側に装着して使用するもので、図１〜図３に示すように、おむつ本体１の長手方向に、ペットＡの腹側に当てる腹当て部２と、ペットＡの背中側に当てる背当て部３とを備え、その腹当て部２側に尿吸収体４と尿漏れ防止フィルム５とが介在され、少なくとも背当て部３側が通気性を有し、また腹当て部２と背当て部３との中間の尻当て部６に、ペットＡの尻尾Ｂを通す尻尾穴７が長穴状（例えばダルマ穴状）に設けられている。
【００１０】
おむつ本体１は内外両側にその腹当て部２と背当て部３との略全長に跨がる不織布製の内側シート８と外側シート９とを備え、長手方向の両端側が中間部分よりも幅方向の両側に突出する広幅状の広幅部分２２，２３となっている。そして、腹当て部２側の広幅部分２２に、その端縁に沿って幅方向に一方のウエストバンド１１が設けられると共に、このウエストバンド１１よりも長手方向の内側が幅方向の両端部にファスナーテープ１２が設けられている。また背当て部３側の広幅部分２３に、その端縁に沿って幅方向に他方のウエストバンド１３とファスナーシート１４とが設けられている。なお、ファスナーシート１４は他方のウエストバンド１３よりも長手方向の内側に配置されている。おむつ本体１の両広幅部分２２，２３間には、その幅方向の両側に端縁に沿って長手方向にフィットギャザー１５が設けられ、このフィットギャザー１５よりも幅方向の内側にサイドギャザー１６が長手方向に設けられている。
【００１１】
内側シート８及び外側シート９には、尿等を通す通水性と空気を内外に通す通気性とを有する材料、例えばプラスチック繊維製、その他の繊維により構成された不織布製のシートが使用されており、後述の尿吸収体４等の介在部分を除く略全面でホットメルト、その他により両者が内外に重合状に接着又は溶着されている。
【００１２】
内側シート８は、センターシート１７とその幅方向の両側のサイドシート１８とにより構成されている。センターシート１７は少なくとも尿吸収体４を覆う幅を有し、おむつ本体１の幅方向の中央部分にその長手方向の略全長にわたって設けられ、外側シート９に対応する部分がその外側シート９に接着又は溶着されている。各サイドシート１８はおむつ本体１の幅方向の両側に配置され、センターシート１７よりも外側で外側シート９に接着又は溶着されると共に、センターシート１７の幅方向の両端部の内面側に接着又は溶着され、このセンターシート１７との接着又は溶着部分よりも幅方向の内側が尿等の横漏れを防止するサイドギャザー１６となっている。
【００１３】
尻尾穴７は腹当て部２と背当て部３との中間の尻当て部６の幅方向の略中央に、おむつ本体１の長手方向に長いダルマ穴状に設けられており、腹当て部２側に配置された大径丸穴状の大きい第１穴部１９と、この第１穴部１９の背当て部３側に連続し且つ第１穴部１９よりも小さい小径穴状の第２穴部２０とを備え、全体として略ダルマ穴状に形成されている。
【００１４】
第１穴部１９は図５に示すようにペットＡの肛門部Ｃに対応させたときに、排泄された糞がおむつ本体１に付着しないように、肛門部Ｃの後側を十分に開放し得る程度の大きさであり、また尻尾穴７の長さは、ペットＡに対するおむつ本体１の装着位置を上下にずらすことにより、ペットＡの尻尾Ｂがその何れかを通り、且つ第２穴部２０に尻尾Ｂを通したときに、第１穴部１９がペットＡの肛門部Ｃの後側を開放する程度になっている。
【００１５】
サイドギャザー１６は、その内端縁に長手方向に沿って配置されたゴム紐等の弾性紐１６ａを有し、尿吸収体４の両側から尻尾穴７の両側、取り分けその第２穴部２０の両側に跨がる範囲に設けられている。フィットギャザー１５はペットＡの後脚Ｄの付け根部におむつ本体１をフィットさせるためのもので、外側シート９とサイドシート１８との間に長手方向に沿って介在されたゴム紐等の弾性紐１５ａを有し、尿吸収体４の両側から尻尾穴７の両側、取り分けその第１穴部１９の両側に跨がる範囲に設けられている。
【００１６】
なお、この実施形態ではサイドギャザー１６は尻尾穴７の第２穴部２０の両側まで、又はそれ以上に背当て部３側に延びており、尻尾穴７の第１穴部１９の両側又はその近傍までのフィットギャザー１５よりも背当て部３側に長くなっている。
【００１７】
尿吸収体４はペットＡが排泄した尿を吸収するためのもので、パルプ、高分子吸収剤等からなり、おむつ本体１の腹当て部２側の幅方向の中央部分に、そのウエストバンド１１の近傍から尻尾穴７の近傍にわたって偏平状に介在されている。なお、尿吸収体４はペットＡが排泄した尿を吸収できるものであれば、パルプ、高分子吸収剤等以外のものを使用しても良い。
【００１８】
尿漏れ防止フィルム５は尿吸収体４に吸収された尿の外側への漏れを防止するためのもので、尿吸収体４と外側シート９との間に介在されている。この尿漏れ防止フィルム５は防水性を有するプラスチック製のフィルム等により構成され、尿吸収体４の全体を外側から完全に覆うように、尿吸収体４に対応してそれよりも若干広い範囲に設けらている。
【００１９】
そして、この尿漏れ防止フィルム５は、その外側面の略全面、一部又は少なくとも外周縁部が外側シート９にホットメルト、その他により接着又は溶着され、また尿吸収体４が動かないように内側面の外周縁部がセンターシート１７及び／又はサイドシート１８にホットメルト、その他により接着又は溶着されている。なお、尿漏れ防止フィルム５には、防水処理を施した薄手の紙等を使用しても良い。
【００２０】
ウエストバンド１１，１３はプラスチック製等の弾性帯からなり、内側シート８と外側シート９との間に介在してホットメルト、その他により接着又は溶着されている。ファスナーシート１４はホットメルト、その他によりおむつ本体１の外側面に接着又は溶着されている。ファスナーテープ１２は、ファスナーシート１４の端部に貼付して止めるためのもので、おむつ本体１の幅方向の両端に設けられ、通常はおむつ本体１の内側に折り込まれている。
【００２１】
このペット用使い捨ておむつを使用する場合には、犬等のペットＡに対して図４又は図５に示すように装着する。装着に際しては、犬等のペットＡの股間を経て腹当て部２が腹側となり、背当て部３が背中側となるようにおむつ本体１をあてがい、幅方向の両側のファスナーテープ１２をファスナーシート１４に貼着する。また尻尾Ｂはおむつ本体１の尻尾穴７に通す。
【００２２】
装着状態では、ウエストバンド１１，１３により腹当て部２及び背当て部３が適度な締まりでペットＡのウエスト部分に巻き付き、またフィットギャザー１５が適度な締まりで後脚Ｄの付け根部に巻き付いて、おむつ本体１でペットＡのウエスト部から後側を包み込む。このため夏等の暑い季節であれば、おむつ本体１の内部の温度、湿度等が上昇して蒸れが発生する惧れがある。
【００２３】
しかし、このペット用使い捨ておむつでは、内側シート８の他に外側シート９に不織布シートが使用されており、おむつ本体１の少なくとも背当て部３、即ち尿吸収体４の外側の尿漏れ防止フィルム５に対応する部分を除く部分が通気性を有する不織布により構成されているので、尿漏れ防止フィルム５に対応する部分以外では常に所定の通気性を確保できる。従って、おむつ本体１、取り分けその背当て部３側に所定の通気性があるため、夏等の暑い季節でも内部の蒸れの発生を極力少なくできる。このためペットＡは、装着状態でも快適に過ごすことができる。
【００２４】
また外側シート９に通気性を有する不織布シートを使用しているにも拘らず、尿吸収体４とその外側の外側シート９との間に尿漏れ防止フィルム５を設けているので、尿吸収体４に吸収された尿が漏れた場合でも、その尿が外側シート９側に漏れることはない。
【００２５】
尻尾穴７は大径の第１穴部１９と小径の第２穴部２０とを長手方向に連続させてダルマ穴状に形成しているので、おむつ本体１のペットＡに対する装着位置を上下方向にずらして、その第１穴部１９と第２穴部２０との何れかに尻尾Ｂを通すことによって、ペットＡの肛門部Ｃを後側から覆うこともできるし、肛門部Ｃの後側を開放することもでき、自由自在に装着できる。
【００２６】
例えば、おむつ本体１を上側にずらせて尻尾穴７の第１穴部１９側に尻尾Ｂを通した場合には、図４に示すように、ペットＡの肛門部Ｃをおむつ本体１で後側から覆うことができる。またおむつ本体１を下側にずらせて尻尾穴７の第２穴部２０に尻尾Ｂを通した場合には、図５に示すように、その第１穴部１９がペットＡの肛門部Ｃに対応して、肛門部Ｃの後側を開放することができる。従って、ペットＡが排泄する糞をおむつ本体１で受ける場合、又は外部に取り出す場合の何れの場合にも、そのままで容易に対応することができる。
【００２７】
図６〜図８は本発明の第２の実施形態を例示する。このペット用使い捨ておむつは、おむつ本体１の背当て部３側に、その幅方向に複数個（例えば４個）の通気穴２１が形成されている。
【００２８】
この実施形態では、おむつ本体１のセンターシート１７に対応する２個の通気穴２１と、両側の各サイドシート１８に対応する各１個の通気穴２１とがあり、その各通気穴２１は尻尾穴７の第１穴部１９よりも背当て部３側に配置されている。そして、各通気穴２１はおむつ本体１の長手方向に長い長穴状に形成され、ファスナーシート１４の近傍から、腹当て部２側の端部が尻尾穴７の第２穴部２０の両側近傍に達する範囲に設けられている。サイドシート１８とセンターシート１７は、通気穴２１の周辺部分ではホットメルト、その他で接着又は溶着されており、サイドギャザー１６の通気穴２１側の端部は通気穴２１の近傍までとなっている。他の構成は、第１の実施形態と略同一である。
【００２９】
このようにおむつ本体１の背当て部３側に通気穴２１を設けることによって、内側シート８及び外側シート９が通気性を有する不織布製であることと相まって、背当て部３側の通気性を更に向上させることができる。
【００３０】
また通気穴２１はファスナーシート１４の近傍から、通気穴２１の腹当て部２の端部が尻尾穴７の第２穴部２０側とおむつ本体１の長手方向にオーバーラップする範囲に形成しているので、通気領域を十分に確保できる。
【００３１】
しかもサイドギャザー１６を通気穴２１の近傍までとし、通気穴２１に対応する部分ではセンターシート１７とサイドシート１８とを接着又は溶着しているので、サイドギャザー１６を形成後の最終段階で尻尾穴７と同様におむつ本体１を打ち抜いて通気穴２１を形成することができる。
【００３２】
以上、本発明の各実施形態について詳述したが、本発明は各実施形態に限定されるものではなく、その趣旨を逸脱しない範囲内で種々の変更が可能である。第１の実施形態では、外側シート９と内側シート８とに不織布製を用いて背当て部３側の通気性を確保し、第２の実施形態では外側シート９と内側シート８とを不織布製とし、これに更に通気穴２１を形成して背当て部３側の通気性を確保しているが、通気穴２１を形成する場合には、外側シート９を通気性のない材料、例えばプラスチック製のフィルム等により構成することも可能である。従って、通気穴２１を形成する場合には、必ずしも外側シート９を不織布製にする必要はない。
【００３３】
また第２の実施形態では、複数個の通気穴２１をおむつ本体１の長手方向に長い長穴状に形成しているが、多数の小さい通気穴２１を背当て部３、又は背当て部３及び尻当て部６の略全域に略均等に分散させて配置することも可能である。その場合、通気穴２１は排泄物が漏れない範囲内であれば、背当て部３側から尻当て部６側、特にその尻尾穴７の第２穴部２０又は第１穴部１９の両側にわたる範囲に分散させて配置することが望ましい。
【００３４】
各実施形態では、尿漏れ防止フィルム５は尿吸収体４よりも若干広い範囲に設け、尿漏れ防止フィルム５以外の部分では内側シート８、外側シート９の通気性を確保できるようにしているが、尿吸収体４の尿が漏れない部分であれば、尿漏れ防止フィルム５の幅方向の両側で腹当て部２側に通気穴２１を設けることも可能である。
【００３５】
通気穴２１が小穴状の場合には、ファスナーシート１４の部分に設けても良い。更に通気穴２１は、その一部がサイドギャザーの外側に位置するように、おむつ本体１の幅方向の両端部を除く略全範囲にわたって広範囲に設けることが望ましい。通気穴２１は長穴、丸穴、その他の適宜形状にすれば良い。通気穴２１はおむつ本体１をペットＡに装着したときに開口状になるようにスリット状に形成しても良いし、装着したときにもスリット状のままとなるように形成しても良い。
【００３６】
尻尾穴７は第１穴部１９と第２穴部２０とをダルマ穴状に設けているが、これはおむつ本体１の長手方向に沿った長穴状であれば、長円状、長角穴状にする等、他の穴形状でも良い。外側シート９に通気性を有する不織布等を使用する場合には、尿吸収体４の尿が漏れないように尿漏れ防止フィルム５を設ける必要があるが、外側シート９に通気性のないプラスチックフィルム等を使用して、おむつ本体１の背当て部３側に通気穴２１を形成する場合には、外側シート９で尿の漏れを防止できるので、尿漏れ防止フィルム５を設ける必要はない。尿漏れ防止フィルム５は腹当て部２側の幅方向の略全体に設けても良い。尿吸収体４は腹当て部２側から尻尾穴７の第１穴部１９の幅方向の両側に達する範囲に設けても良い。センターシート１７とサイドシート１８とを１枚の内側シート８により構成しても良い。
【００３７】
【発明の効果】
本発明では、おむつ本体１の少なくとも背当て部３側に通気性を持たせているので、装着状態でのペットＡの蒸れを少なくでき、夏等の暑い季節でもペットＡが快適に過ごせる利点がある。また尻尾穴７は、腹当て部２側に配置され且つペットＡの肛門部Ｃに対応させたときにペットＡから排泄された糞がおむつ本体１に付着しない程度の大きさの第１穴部１９と、ペットＡの尻尾Ｂを通したときに第１穴部１９がペットＡの肛門部Ｃに対応するように該第１穴部１９の背当て部３側に連続する第２穴部２０とを備えた長穴状であるので、ペットＡが排泄する糞をおむつ本体１で受ける場合、又は外部に取り出す場合の何れの場合にも、おむつ本体１のペットＡに対する装着位置を上下に変更する等によって容易に対応することができる。
【００３８】
また少なくとも背当て部３に、通気性を有する不織布を用いているので、通気性を確保できるにも拘らず、通気性のないシート材を使用した場合と同様に容易に製造できる。
【００３９】
更におむつ本体１は、該おむつ本体１の内外両側に腹当て部２と背当て部３との略全長に跨がって設けられた不織布製の内側シート８及び外側シート９と、内側シート８と外側シート９との間に介在された尿吸収体４と、該尿吸収体４と外側シート９との間に介在された尿漏れ防止フィルム５とを備えているので、通気性を確保できると共に、尿の漏れを防止できる。また背当て部３に通気穴２１を設けることにより、背当て部３の通気性を向上させることができる。
【図面の簡単な説明】
【図１】本発明の第１の実施形態を示すペット用使い捨ておむつの一部破断斜視図である。
【図２】本発明の第１の実施形態を示すペット用使い捨ておむつの平面図である。
【図３】（Ａ）は図２のＸ−Ｘ線断面図、（Ｂ）は図２のＹ−Ｙ線断面図である。
【図４】本発明の第１の実施形態を示すペット用使い捨ておむつの使用状態の斜視図である。
【図５】本発明の第１の実施形態を示すペット用使い捨ておむつの使用状態の斜視図である。
【図６】本発明の第２の実施形態を示すペット用使い捨ておむつの一部破断斜視図である。
【図７】本発明の第２の実施形態を示すペット用使い捨ておむつの平面図である。
【図８】本発明の第２の実施形態を示すペット用使い捨ておむつの使用状態の斜視図である。
【符号の説明】
１  おむつ本体
２  腹当て部
３  背当て部
４  尿吸収体
５  尿漏れ防止フィルム
７  尻尾穴
８  内側シート
９  外側シート
１９  第１穴部
２０  第２穴部
２１  通気穴
【図１】
0003625203.tif 000002
【図２】
0003625203.tif 000003
【図３】
0003625203.tif 000004
【図４】
0003625203.tif 000005
【図５】
0003625203.tif 000006
【図６】
0003625203.tif 000007
【図７】
0003625203.tif 000008
【図８】
0003625203.tif 000009